(57)【要約】【課題】 配管レイアウトを変更することなく、絞り部の形状を容易に変更できる管継手を提供する。【解決手段】  管継手１は、流体通路３を有する継手本体２と、流体通路３途中に絞り部を形成するための交換型カートリッジ４とを備えている。継手本体２に、前記流体通路３を含み、継手本体２表面の一部に開口する凹所７が設けられている。交換型カートリッジ４は、絞り部を形成する貫通孔１３が設けられて、凹所７に着脱可能に取り付けられている。【選択図】    図１
2020034090.tif 000002
【特許請求の範囲】
【請求項１】
流体通路を有する継手本体と、前記流体通路途中に配設される交換型カートリッジとを備え、
前記継手本体に、前記流体通路を含み、継手本体表面の一部に開口する凹所が設けられており、
前記交換型カートリッジは、前記絞り部を形成する貫通孔が設けられて、前記凹所に着脱可能に取り付けられていることを特徴とする管継手。
【請求項２】
前記継手本体の前記凹所の開口が設けられている部分が平坦面とされており、前記凹所に嵌め入れられた前記交換型カートリッジに、ガスケットおよびこれを押さえるカバーが前記開口を覆うように重ねられて、前記カバーが締結部材によって前記継手本体に着脱可能に取り付けられていることを特徴とする請求項１に記載の管継手。
【請求項３】
前記交換型カートリッジの貫通孔の径が流体通路径に等しい径とされており、該貫通孔内にフィルタが配設されていることを特徴とする請求項１又は２に記載の管継手。
【発明の詳細な説明】
【技術分野】
【０００１】
この発明は、管継手に関し、特に、オリフィス等の絞り部を備えた管継手に関する。
【背景技術】
【０００２】
流量制御を必要とする装置においては、例えば、当初想定していた流量条件を変更する必要が生じることがあり、このような場合には、流量制御レンジを変更するためにオリフィスを設けることが有効となる。
【０００３】
オリフィスは、管継手に設けられることがあり、特許文献１には、ボディにオリフィスが交換可能に設けられた管継手が開示されている。この特許文献１のオリフィスを備えた管継手では、オリフィスの径を変更する必要が生じた場合、配管から管継手を取り外し、オリフィスを交換した後に、配管に管継手を取り付けるようになっている。
【先行技術文献】
【特許文献】
【０００４】
【特許文献１】再表２０１４／０１０４５２号公報
【発明の概要】
【発明が解決しようとする課題】
【０００５】
上記特許文献１のオリフィスを備えた管継手によると、管継手を取り外すために軸方向に移動させるスペースが既に組み立て済みの配管に無い場合、配管レイアウトを変更する必要があり、オリフィス（絞り部の一例）を容易に変更できないという問題があった。
【０００６】
この発明の目的は、配管レイアウトを変更することなく、絞り部を容易に変更できる管継手を提供することにある。
【課題を解決するための手段】
【０００７】
この発明による管継手は、流体通路を有する継手本体と、前記流体通路途中に配設される交換型カートリッジとを備え、前記継手本体に、前記流体通路を含み、継手本体表面の一部に開口する凹所が設けられており、前記交換型カートリッジは、前記絞り部を形成する貫通孔が設けられて、前記凹所に着脱可能に取り付けられていることを特徴とするものである。
【０００８】
この管継手によると、継手本体の両端部に管接続部を介して管が接続されて、管が接続された状態のまま、交換型カートリッジを継手本体の凹所に着脱可能に取り付けることができる。交換型カートリッジの貫通孔は、単一孔のオリフィス、多孔オリフィス、音速ノズルなどの形状とされ、流体通路途中に設けられた絞り部として機能し、この絞り部の形状（孔の径、孔の数など）が異なる交換型カートリッジに交換することで異なる形状の絞り部を設置することができる。したがって、配管レイアウトを変更することなく、絞り部を容易に変更することができる。
【０００９】
管接続部としては、例えば、管を溶接するもの、２つの圧縮リングを使用するもの、ガスケットを使用するものなど、従来の管継手で使用されているものを適宜使用することができる。
【００１０】
前記継手本体の前記凹所の開口が設けられている部分が平坦面とされており、前記凹所に嵌め入れられた前記交換型カートリッジに、ガスケットおよびこれを押さえるカバーが前記開口を覆うように重ねられて、前記カバーが締結部材によって前記継手本体に着脱可能に取り付けられていることが好ましい。
【００１１】
このようにすると、交換型カートリッジの交換を容易に行うことができるとともに、確実にシール性を保持することができる。
【００１２】
前記交換型カートリッジの貫通孔の径が流体通路径に等しい径とされており、該貫通孔内にフィルタが配設されていることがある。
【００１３】
すなわち、交換型カートリッジとしては、絞り部の径を変更するものに限られず、フィルタを備えたフィルタカートリッジとしてもよく、このようにすることで、この管継手の適用範囲を広げることができる。
【発明の効果】
【００１４】
この発明の管継手によると、配管レイアウトを変更することなく、絞り部の形状を容易に変更することができる。
【図面の簡単な説明】
【００１５】
【図１】図１は、この発明による管継手の１実施形態を示す縦断面図である。
【図２】図２は、図１のII-II線に沿う横断面図である。
【図３】図３は、交換型カートリッジの例を示す横断面図であり、図３（ａ）はオリフィスを形成するためのもので、図３（ｂ）はフィルタを形成するためのものである。
【発明を実施するための形態】
【００１６】
この発明の実施の形態を、以下図面を参照して説明する。以下の説明において、上下および左右は、図１の上下および左右をいうものとする。
【００１７】
図１は、この発明による管継手の１実施形態を示しており、管継手１は、軸方向に貫通する流体通路３を有している継手本体２と、継手本体２に着脱可能に取り付けられた交換型カートリッジ４と、継手本体２の左右両端に設けられた管接続部５，６とを備えている。
【００１８】
継手本体２の軸方向中間部には、交換型カートリッジ４を収納するための継手本体２の表面の一部（図の上面）に開口する凹所７が設けられている。凹所７は、流体通路３を含むように、継手本体２表面の適所、本実施形態においては  継手本体２の上面側に開口１４を設けた空間である。
【００１９】
交換型カートリッジ４は、板状の金属製の本体１１と、本体１１外周に焼き付けられたフッ素ゴムなどのゴム製のクッション部１２とからなる。本体１１には、継手本体２の流体通路３の径より小さい径を有する単一孔のオリフィス（絞り部の一例）を形成する貫通孔１３が設けられている。
【００２０】
図２に示すように、継手本体２の流体通路３および交換型カートリッジ４の貫通孔１３は、断面円形であり、貫通孔１３の中心が流体通路３の軸線上に位置するように形成されている。
【００２１】
継手本体２の外周面は、凹所７の開口１４が設けられている平坦な上面（平坦面）２ａと、上面２ａに直交する互いに平行な側面２ｂと、断面が半円形の下面２ｃとからなる。
【００２２】
継手本体２の凹所７は、継手本体２の外周面と相似形に形成されており、凹所７の内周面は、継手本体２の上面２ａに直交するように形成された互いに平行な側面７ａと、断面が半円形の下面７ｂとからなる。凹所７の下面７ｂは、流体通路３の下側にあり、これにより、凹所７は、流体通路３を含むように形成されている。
【００２３】
交換型カートリッジ４は、継手本体２の凹所７に収納された際に、そのクッション部１２が凹所７の内周面に密接するように形成されており、交換型カートリッジ４の本体１１の外周面は、平坦な上面１１ａと、上面１１ａに直交する互いに平行な側面１１ｂと、断面が半円形の下面１１ｃとからなる。
【００２４】
継手本体２の上面２ａには、凹所７の開口１４を塞ぐように方形板状のガスケット８が配されている。交換型カートリッジ４のクッション部１２の上面１２ａは、ガスケット８に密接するように形成されている。ガスケット８の上面には、ガスケット８よりも面積が大きい金属製板状のカバー９が重ねられている。ガスケット８は、継手本体２の上面２ａに設けられた凹所とカバー９下面に設けられた凹所とによって位置決めされている。カバー９は、ガスケット８を押圧した状態で、複数のボルト１０によって、継手本体２に着脱可能に取り付けられている。ボルトの本数は４本以上が好ましい。カバー９は、ボルト１０以外の適宜な締結部材によって取り付けるようにしてもよい。
【００２５】
なお、ガスケット８は、方形板状に限られるものではなく、凹所７の開口１４を囲む環状のものであってもよい。また、ガスケットを省略して、交換型カートリッジ４のクッション部１２をカバー９で押圧することによってシール性を得るようにしてもよい。
【００２６】
管接続部５，６として、継手本体２の左右両端部には、外周に形成されたおねじ部２１と、２圧縮リング式の管継手を形成するために内周に形成されたテーパ面２２とが設けられている。継手本体２の左右両端部の内周は、管（図示略）を挿入するための管挿入部２３とされる。継手本体２の左右両端部のおねじ部２１の軸方向内側には、六角柱状のレンチ係合部２４が形成されている。
【００２７】
管接続部５，６として、管の周囲に嵌められるフロントリング２５およびバックリング２６と、フロントリング２５およびバックリング２６を締め付けて管を継手本体２に固定するナット２７とが、継手本体２の左右両端部に取り付けられている。
【００２８】
各管接続部５，６において、管の端部が管挿入部２３に挿入された状態でナット２７が締め付けられることにより、フロントリング２５およびバックリング２６が管に食い込み、管の接続が行われる。
【００２９】
管の接続が行われた状態において、複数のボルト１０を外すことにより、交換型カートリッジ４を違うものに交換することができる。
【００３０】
交換される交換型カートリッジ３０としては、図３（ａ）に示すように、例えば、板状の金属製の本体３１と、本体３１外周に焼き付けられたゴム製のクッション部３２とからなり、その本体３１に設けられた貫通孔３３が図２の交換前の交換型カートリッジ４の貫通孔１３の径と異なる（図示したものでは大きい）ものとされる。こうして、図３（ａ）に示す交換型カートリッジ３０によると、単一孔のオリフィスを有する絞り部において、オリフィス径を容易に変更することができる。図示省略するが、貫通孔は、多孔オリフィスを形成する複数の孔であってもよく、また、先端側の径が小さくなるノズル形状であってもよい。
【００３１】
また、交換される交換型カートリッジ４０としては、図３（ｂ）に示すように、板状の金属製の本体４１と、本体４１外周に焼き付けられたゴム製のクッション部４２とからなり、その本体４１に設けられた貫通孔４３が流体通路３の径と同じとされて、貫通孔４３内にフィルタ４４が配置されたものとされる。これにより、上記の管継手１を貫通孔（オリフィス）１３、４３の径または数を変更するものに限られず、フィルタ４４を必要とする配管にも適用することができる。
【００３２】
上記の管継手１によると、交換型カートリッジ４の貫通孔１３は、流体通路３途中に設けられた絞り部として機能し、管の接続が行われた状態において、複数のボルト１０を外すことにより、交換型カートリッジ４を貫通孔１３の形状（径など）が異なる交換型カートリッジ３０に交換することができ、各管接続部５，６については分解することなく、異なる形状の絞り部を設置することができる。したがって、配管レイアウトを変更することなく、絞り部を容易に変更することができる。
【００３３】
なお、上記において、管接続部５，６は、フロントリング２５およびバックリング２６を備えた圧縮リング式のものとされているが、管接続部は、これに限定されるものではなく、溶接式のもの、ガスケットを使用するものなど、従来の管継手で使用されているものを適宜使用することができる。
【産業上の利用可能性】
【００３４】
この発明によると、配管レイアウトを変更することなく、管継手が設けられている箇所で絞り部を容易に変更できるので、配管レイアウト設計および現場作業の低減に寄与することができる。
【符号の説明】
【００３５】
１：管継手
２：継手本体
２ａ：上面（平坦面）
３：流体通路
４：交換型カートリッジ
５，６：管接続部
７：凹所
８：ガスケット
９：カバー
１０：ボルト
１３：貫通孔（絞り部）
１４：開口
３０：交換型カートリッジ
３３：貫通孔（絞り部）
４０：交換型カートリッジ
４３：貫通孔（絞り部）
４４：フィルタ
【図１】
2020034090.tif 000003
【図２】
2020034090.tif 000004
【図３】
2020034090.tif 000005